(57)【特許請求の範囲】
【請求項１】
キッチンの入り隅に添わせる二枚の背板及び入り隅と対向する箇所を開けて開口部とする二枚の側板からなり、開口部から入り隅に向かって移動ワゴンを出し入れ自在に設けたコーナーキャビネットにおいて、移動ワゴンの蹴込を備えた前面板にて開口部を塞ぐようにし、両側板の下端前縁の蹴込用切欠と移動ワゴンの蹴込との隙間を塞ぐフィラーを、蹴込用切欠の縦縁への被覆片及び側板の内面に沿う翼片を備えたほぼ三角筒状をなすようにして構成したことを特徴とするコーナーキャビネット。
【請求項２】
上部では背板側板に渡し固定する補強桟で繋ぎ、フィラーには上部より取り外し自在に渡す仮止め板により、キャビネットを組み立てる際の側板背板の変形を防ぐようにしたことを特徴とする請求項１記載のコーナーキャビネット。
【請求項３】
側板の下端部とキッチン床面をアングル材で固定するようにしたことを特徴とする請求項２記載のコーナーキャビネット。
【発明の詳細な説明】
【０００１】
【発明の属する技術分野】
この発明は、システムキッチンなどを部屋の入り隅を含めてＬ型に配置する場合に入り隅に配置されるコーナーキャビネットに関するものである。
【０００２】
【従来の技術】
台所の入り隅を含むようにＬ型にシステムキッチン等のベースキャビネットを配置する場合、一般的には入り隅に配置するほぼ平面方形のコーナーキャビネット内部に複数段の回転棚を設け、キャビネット前面の幅狭の開口部に扉を設け回転棚上から物品を出し入れする手段が採用されている。
出願人らは、回転棚ではスペースの有効活用には程遠いので、出し入れ自在な移動ワゴンを縦長長方形状の開口部から内部に納め、かつ、移動ワゴンの両側に形成される三角柱状空間を埋める車輪を備えたスライド収納ラックを案内レールにより開口部から出し入れ自在でかつ取り外し自在に設けるようにしたものを、特願２０００−２１４５７７号として提案した。
【０００３】
【発明が解決しようとする課題】
しかし、上記コーナーキャビネットでは、開口部から出し入れ自在とする移動ワゴンの蹴込付前板とコーナーキャビネットの両側板の蹴込部分との間において隙間が生じることになった。すなわち、移動ワゴンは出し入れ自在とするもので正面から見て蹴込は後退しており、側板の蹴込用切欠の縦縁と連続させられず、移動ワゴンの蹴込の端縁との間には隙間が生じることになっていた。
また、移動ワゴンをキッチンの床面に出し入れ自在とするので、コーナーキャビネットには底板をつけることができないので下部において剛性を保ち難く、施工時にこの下部において変形し易くなっていた。
【０００４】
【課題を解決するための手段】
この発明は、従来のこのような不都合を解消すべく開発したもので、請求項１のコーナーキャビネットは、キッチンの入り隅に添わせる二枚の背板及び入り隅と対向する箇所を開けて開口部とする二枚の側板からなり、開口部から入り隅に向かって移動ワゴンを出し入れ自在に設けたコーナーキャビネットにおいて、移動ワゴンの蹴込を備えた前面板にて開口部を塞ぐようにし、両側板の下端前縁の蹴込用切欠と移動ワゴンの蹴込との隙間を塞ぐフィラーを、蹴込用切欠の縦縁への被覆片及び側板の内面に沿う翼片を備えたほぼ三角筒状をなすようにして構成したことを特徴とするものである。
【０００５】
請求項２の発明は、上部では背板側板に渡し固定する補強桟で繋ぎ、フィラーには上部より取り外し自在に渡す仮止め板により、キャビネットを組み立てる際の側板背板の変形を防ぐようにしたことを特徴とするものである。
請求項３の発明は、請求項２の構成に加えて、側板の下端部とキッチン床面をアングル材で固定するようにしたことを特徴とするものである。
【０００６】
【発明の実施の形態】
以下、図面に示す実施の形態に即してこの発明に係るコーナーキャビネットＣについて説明する。
図１はコーナーキャビネットＣの天板Ｔを外した状態の斜視図であり、図２は内側から見た状態の斜視図、図３はフィラーの平面図、図４はフィラーに仮止め板を嵌め込んだ状態の平面図、図５（ａ）（ｂ）は側板の床面の固定手段を示す斜視図である。
図６乃至図８は組み立て状態を示す斜視図、図９は天板Ｔを一部切除して示す斜視図である。
【０００７】
コーナーキャビネットＣは図６乃至図８に示すように、入り隅の壁面の沿う背板１、１と入り隅と対向する箇所を開けて開口部２とする側板３、３をだぼ継ぎにより繋げ、これらの内側上部では背板１及び側板３、３に渡すＴ型をなす補強桟４をもだぼ継ぎで一体とし、背板１及び補強桟４に予めねじ止めした隅補強部材５を側板３、３に木ねじ６、６にてねじ込むようにする。さらに、背板１と側板３に添わせる樹脂性のアングル材７を木ねじ６で止めるようにする。
このコーナーキャビネットＣは図９に示すように隣接するベースキャビネットＢ、Ｂ同士とボルトナットなどの連結手段で繋げ、図示するように方形或いはＬ形に成形した人工大理石やステンレス鋼板などの適宜な素材からなる天板Ｔを被せて適宜手段により繋げるものである。
コーナーキャビネットＣ内には、キャスターを設けた移動ワゴン８を開口部２から入り隅の奥に向かって出し入れ自在に設け、移動ワゴン８の両側の三角柱状空間を埋めるスライド収納ラック９、９を、コーナーキャビネットＣの側板３、３に配した案内レール３３とスライド収納ラック９、９に設けたレール受け（図示せず）により側板３に沿って出し入れ自在でかつ取り外し自在に設けるようにしてある。このスライド収納ラック９の入り隅側の下端には図示しないが車輪を設けるようにしてある。
【０００８】
側板３、３の下端前縁は隣接配置されるキャビネットに合わせて蹴込用切欠３１を設け、これに対応して移動ワゴン８の前板８１の下端部は蹴込８１ａとなるよう後退させるようにしてある。
側板３、３の開口部２側には断面三角状の樹脂性の小口カバー３２を貼着するなどして取り付け、移動ワゴン８の出し入れによる衝突から側板３、３の木口を保護すると共に、移動ワゴン８の前板８１の側縁と向き合うような形態としてある。
【０００９】
側板３、３の厚みはあるものの、移動ワゴン８は方形に形成され出し入れ自在となるので、移動ワゴン８の蹴込８１ａと側板３の蹴込用切欠３１の間には隙間が生じることになる。
この隙間を埋めるために、側板３の蹴込用切欠３１の縦縁への被覆片１１及び側板３、３の背面に沿いビス穴１２ａを穿った翼片１２を備えたほぼ三角筒状をなす一対のフィラー１０を木ネジ６で取り付けるようにしてある。
なお、蹴込用切欠３１あるいはこれに沿わせる被覆片１１には両面粘着テープを貼付して互いに接着するようにする。
このフィラー１０内部には三つの内向きの突条１３ａ、１３ｂ、１３ｃを設けて円柱状の棒杆を支持する凹部１３を形成してある。
円柱状の凹部１３を形成するようにしてもよいが、突条１３ａ等で形成する方が素材の節約の点で優れる。
【００１０】
フィラー１０、１０には、取り外し自在に仮止め板２０を渡すようにする。この仮止め板２０は板体に凹部１３に嵌め込むダボ２１を備えたもので、上部での背板１及び側板３に渡す補強桟４を相俟って背板１と側板３を組み立てる際に開口部２の寸法を固定し、コーナーキャビネットＣの変形を防ぐようにしている。
【００１１】
この仮止め板２０をフィラー１０、１０に渡した状態で、図５に示すように、アングル材３０にて側板３とキッチンの床面Ｆに沿わせて木ねじをねじ込むことで固定する。
図５（ａ）はキッチンの床への直接固定手段を採用したもので、図５（ｂ）は床にねじ込みできない場合の固定手段で、たる木４０を接着剤で床面に固定してからアングル材３０を沿わせるようにしたものを示す。
【００１２】
仮止め板２０を嵌め込んだまま、部屋の入り隅にて組み立ててから、隣接するベースキャビネットＢ、Ｂとキャップ付ジョイントねじやボルトナットにてなどの締結手段にて繋げるようにする。然る後に天板Ｔを被せ必要に応じて接着剤を用い、天板固定金具などで一体に固定するのである。
天板Ｔを被せて固定してからキャビネット同士を繋げるようにしてもよい。
【００１３】
【発明の効果】
この発明は以上のような構成からなるものであり、請求項１の発明では、開口部から入り隅に向かって移動ワゴンを出し入れ自在に設けたコーナーキャビネットにおいて、移動ワゴンの蹴込を備えた前面板にて開口部を塞ぐようにし、両側板の下端前縁の蹴込用切欠と移動ワゴンの蹴込との隙間を塞ぐフィラーを、蹴込用切欠の縦縁への被覆片及び側板の内面に沿う翼片を備えたほぼ三角筒状をなすようにして構成したので、移動ワゴンを収納した状態で蹴込部分の隙間を塞ぎ体裁を整えることができ、移動ワゴンにより衝突が繰り返される箇所の補強となるのである。
【００１４】
請求項２の発明は、コーナーキャビネットの剛性に配慮したもので、上部では背板側板に渡し固定する補強桟で繋ぎ、フィラーには上部より取り外し自在に渡す仮止め板により保形して、キャビネットを組み立てる際の側板背板の変形を防ぐことができるようにしたのである。
請求項３の発明は、さらにコーナーキャビネット自体の自立性を付与する為に側板の下端部とキッチン床面をアングル材で固定するようにしたのである。
【図面の簡単な説明】
【図１】  コーナーキャビネットの天板を外した状態の斜視図である。
【図２】  図１の矢視方向から見た斜視図である。
【図３】  フィラーの平面図である。
【図４】  フィラーに仮止め板を嵌め込んだ状態の要部平面図である。
【図５】  （ａ）、（ｂ）は側板と床面の固定手段を示す斜視図である。
【図６】  背板の組み立て状態を示す斜視図である。
【図７】  背板と側板の組み立て状態を示す斜視図である。
【図８】  補強桟、隅補強材、アングルを組み付ける状態を示す斜視図である。
【図９】  この発明に係るコーナーキャビネットを組み付けた厨房家具の天板を切除して示す斜視図である。
【符号の説明】
Ｃ  コーナーキャビネット
Ｂ  ベースキャビネット
Ｔ  天板
１  背板
２  開口部
３  側板
３１  蹴込用切欠
４  補強桟
５  隅補強部材
６  木ねじ
７  アングル材
８  移動ワゴン
８１  前板
８１ａ  蹴込
９  スライド収納ラック
１０  フィラー
１１  被覆片
１２  翼片
１３  凹部
１３ａ  突条
２０  仮止め板
３０  アングル材
４０  たる木
【図１】
0004778169.tif 000002
【図２】
0004778169.tif 000003
【図３】
0004778169.tif 000004
【図４】
0004778169.tif 000005
【図５】
0004778169.tif 000006
【図６】
0004778169.tif 000007
【図７】
0004778169.tif 000008
【図８】
0004778169.tif 000009
【図９】
0004778169.tif 000010